(57)【要約】【課題】  ガラスカーテンウォールを効率的に施工する。【解決手段】  複数のガラス板１を１枚ずつ順次揚重して上下の支持枠２ａ、２ｂの間に並べて設置することでガラスカーテンウォールを施工するに際し、揚重した１枚のガラス板を上下の支持枠の間の任意の位置に自立させた状態で装着した後、そのガラス板を上下の支持枠をガイドとして横方向に移動させて設置位置に導き、そこで位置決めを行って固定する。下側の支持枠２ｂ内に走行可能な台車を配置しておいてその台車にガラス板を載置して横移動させる。あるいは、下側の支持枠２ｂ内の底部に転動可能なガイドローラを間隔をおいて複数設置しておいてそれらガイドローラによりガラス板を支持しつつ横移動させる。【選択図】      図４
2005171529.tif 000002
【特許請求の範囲】
【請求項１】
複数のガラス板を１枚ずつ順次揚重して上下の支持枠の間に並べて設置することでガラスカーテンウォールを施工するに際し、揚重した１枚のガラス板を上下の支持枠の間の任意の位置に自立させた状態で装着した後、そのガラス板を上下の支持枠をガイドとして横方向に移動させて設置位置に導き、そこで位置決めを行って固定することを特徴とするガラスカーテンウォールの施工方法。
【請求項２】
下側の支持枠内に、ガラス板を支持して支持枠内を走行可能な台車を配置しておき、該台車にガラス板を載置して横移動させることを特徴とする請求項１記載のガラスカーテンウォールの施工方法。
【請求項３】
下側の支持枠内の底部に、ガラス板を支持して転動可能なガイドローラを間隔をおいて複数設置しておき、該ガイドローラによりガラス板を支持しつつ横移動させることを特徴とする請求項１記載のガラスカーテンウォールの施工方法。
【発明の詳細な説明】
【技術分野】
【０００１】
本発明は、建物の外壁としてのガラスカーテンウォールを効率的に施工するための方法に関する。
【背景技術】
【０００２】
ガラスカーテンウォールは従来より建物の外壁として広く採用されている。ガラスカーテンウォールの施工に際しては、個々のガラス板を１枚ずつクレーンにより揚重し、クレーン操作によってそれを設置位置に導き、クレーンにより支持している状態で位置決めを行って仮固定し、しかる後に本固定を行うという作業手順がとられることが一般的である。また、特許文献１には、大規模な超高層建物におけるガラスカーテンウォールの施工方法として、ガラスカーテンウォールを横連窓を構成するような大型の外壁ユニットとして予め製作してそれを一括して揚重して設置することが提案されている。
【特許文献１】特開２００１−１６４７５７号公報
【発明の開示】
【発明が解決しようとする課題】
【０００３】
しかし、従来の手法によりガラス板を１枚ずつ揚重し、位置決めし、固定することでは、それらの作業の殆どをクレーンに頼って行わざるを得ず、したがってクレーン操作に熟練を要するばかりでなく、１枚のガラス板を設置するに要するクレーンの操作時間や作業員の待機時間が長くかかり、極めて作業効率が良くないものであった。また、ガラスカーテンウォールを予め大型の外壁ユニットとして製作してそれを一括して設置することは大型のクレーンが必須であるので、中小規模の建物の施工や既存建物の改修に際しては適用し難いものであった。
【０００４】
上記事情に鑑み、本発明は、ガラスカーテンウォールを効率的に施工することのできる有効適切な施工方法を提供することを目的とする。
【課題を解決するための手段】
【０００５】
本発明は、複数のガラス板を１枚ずつ順次揚重して上下の支持枠の間に並べて設置することでガラスカーテンウォールを施工するに際し、揚重した１枚のガラス板を上下の支持枠の間の任意の位置に自立させた状態で装着した後、そのガラス板を上下の支持枠をガイドとして横方向に移動させて設置位置に導き、そこで位置決めを行って固定するようにしたものである。
【０００６】
本発明においては、下側の支持枠内に走行可能な台車を配置しておいてその台車にガラス板を載置して横移動させたり、あるいは、下側の支持枠内の底部に転動可能なガイドローラを間隔をおいて複数設置しておいてそれらガイドローラによりガラス板を支持しつつ横移動させることが考えられる。
【発明の効果】
【０００７】
本発明においては、ガラス板の揚重作業とそれ以降の作業とを切り離してそれらを独立に行い、前者をクレーン等の揚重手段により行い、後者を作業階において作業員が行うことにより、全体として効率的な作業が可能となる。すなわち、クレーン等の揚重手段はガラス板を任意の位置において揚重して支持枠の任意の位置に対して自立状態で装着するまでの作業を行えば良く、したがって煩雑な揚重操作は必要としないし、それ以降は直ちに次のガラス板の揚重作業に移行でき、それにより揚重作業効率を高めることができるし、無駄な待機時間が生じることもない。一方、作業階においては、支持枠に自立状態で装着されたガラス板を支持枠それ自体をガイドとしてそのまま設置位置まで横移動させ、そこで厳密な位置決めを行って仮固定し、最終的に本固定を行えば良く、それらの作業を揚重作業とは独立に最も効率的に行うことが可能である。
【０００８】
また、本発明においては、下側の支持枠内に、ガラス板を支持する台車を配置しておいたり、あるいはガイドローラを設けておくことにより、ガラス板の横移動をよりスムーズに行うことができてより効率的な作業が可能となる。
【発明を実施するための最良の形態】
【０００９】
本発明の一実施形態を図１〜図５を参照して説明する。本実施形態の施工方法は、複数（以下の図示例の場合は４枚）のガラス板１を適宜のクレーンにより１枚ずつ順次揚重して、上下の支持枠２ａ、２ｂの間に並べて設置することでガラスカーテンウォールを施工する場合の適用例である。
【００１０】
まず、図１に示すように上下の支持枠２ａ、２ｂおよびバックマリオン３を通常の手法で施工する。上下の支持枠２ａ、２ｂは従来のこの種のガラスカーテンウォールにおいて採用されているものをそのまま採用すれば良いが、これらの支持枠２ａ、２ｂはいわゆる倹飩（けんどん）式にガラス板１を装着する溝状のものであって、襖や障子等の引き戸を鴨居と敷居の間に立てる要領でガラス板１をそれらの間に自立させた状態で装着することができ、かつ引き戸を開閉するようにガラス板１をそのまま横移動させることができるものである。具体的には、ガラス板１をやや傾けてその上部を上側の支持枠２ａ内に嵌入した後、ガラス板１を鉛直姿勢としてその下部を下側の支持枠２ｂ内に嵌め落とすことにより、ガラス板１をそれらの間に容易に装着することができ、かつ、その状態では上下の支持枠２ａ、２ｂが鴨居と敷居として機能してガラス板１があたかも引き戸のように横方向に自由に移動できるものである。
【００１１】
支持枠２ａ、２ｂの間にガラス板１を設置するための具体的な手順としては、まず、図２に示すようにクレーンの吊具４によりガラス板１を吊り支持して任意の位置（図示例では右端側）において揚重し、上述したように引き戸を立てる要領で図３に示すようにその位置に対して装着する。その作業は必要に応じてチェーンブロック等の器具を補助的に使用すれば良いが、この時点では厳密な位置決めを行う必要はない。そして、そこに装着されたガラス板１はそのまま自立状態で安定に支持されて転倒する懸念はないから、その時点でクレーンの吊具４を外してクレーンは直ちに次の作業に移行すれば良い。
【００１２】
上記のようにして支持枠２ａ、２ｂの間に装着したガラス板１を、図４に示すようにそれら支持枠２ａ、２ｂをガイドとして横移動させてその設置位置（図示例では支持枠の左端側）に導く。その横移動は上述したように引き戸を開閉する要領で容易にかつ安全に行うことができる。ガラス板１を設置位置まで移動させたら、そこで従来と同様にチェンブロック等の器具を用い、セッティングブロックにより厳密な位置決めを行って仮固定し、最終的に本固定する。
【００１３】
そして、同じく図４に示しているように、上記のガラス板１の横移動、位置決め、固定作業との並行作業により、先の揚重作業と同様にして次のガラス板１を揚重してきて同様に支持枠２ａ、２ｂに対して装着する。
【００１４】
図５に示すように、以上の手順を繰り返して、各ガラス板１を１枚ずつ揚重しては横移動させてそれぞれの設置位置に固定し、最終的に隣接するガラス板１どうしを相互に接合する。また、ガラス板１のサイズが大きいような場合には、面外方向の挙動を抑える目的で、必要に応じて各ガラス板１を束材等を介してバックマリオン３に対して連結すれば良く、以上により当階におけるガラスカーテンウォールの施工完了となる。なお、各ガラス板１の揚重に際しては、その揚重位置を変更する必要がなければ常に定位置で揚重を行えば良いが、必要であれば揚重位置をより作業性に優れる位置に変更しても良い。
【００１５】
以上のように、従来においてはガラス板１の設置に係わる作業の大半をクレーンに頼って行っていたのに対し、上記方法のようにクレーンによる揚重作業とその後の作業とを切り離してそれらを独立に行うことにより、クレーンによる揚重作業効率を大きく改善することができ、それによりガラスカーテンウォール全体の施工効率を大きく向上させることができる。勿論、上記方法は従来一般の構造のガラスカーテンウォールの施工に対してそのまま適用できるものであるし、格別の機材や複雑な工程管理等を必要とするものでもなく、上記方法を実施するに当たってのコストアップの要因は全くないので、極めて合理的であり有効である。
【００１６】
以上で本発明の一実施形態を説明したが、本発明は上記実施形態に限定されるものでは勿論なく、施工対象のガラスカーテンウォールの規模や構造その他諸条件を考慮して適宜の設計的変更が可能であることは言うまでもない。以下に補足的な説明と変形例、応用例を列挙する。
【００１７】
上述したように、支持枠２ａ、２ｂは自ずと鴨居や敷居として機能するものであるので、ガラス板１をそれら支持枠２ａ、２ｂに対して直接的に装着することでもその横移動は充分に可能であるが、よりスムーズに横移動させるために支持枠２ａ、２ｂにそのための機構を備えておくことも考えられる。たとえば、図６に示すように、下側の支持枠２ｂ内にガラス板１を支持して支持枠２ｂ内を走行可能な簡易な台車５を配置しておき、ガラス板１をその台車５に載置した状態で支持枠２ａ、２ｂに装着し、台車５を走行させることでガラス板１を横移動させることが考えられる。この場合、図示しているように少なくとも２台の台車５によりガラス板１の前後を支持することにより最も安定に横移動させることができる。また、ガラス板１を位置決めして本固定するに際しては、台車５を撤去してセッティングブロックに置き換えれば良い。
【００１８】
あるいは、同様の目的で、図７に示すように下側の支持枠２ｂ内の底部に、ガラス板１を支持して転動可能なガイドローラ６を間隔をおいて複数設置しておき、これらのガイドローラ６によりガラス板１を支持しつつ横移動させることも考えられる。この場合、ガラス板１の幅寸法に対応して常に少なくとも２つ以上のガイドローラ６によりガラス板１を支持するようにその間隔を設定しておけば、ガラス板１を常に安定に支持しつつ横移動させることができる。なお、この場合も、最終的にはガラス板１をセッティングブロックにより位置決めして本固定すれば良い。また、図８に示すように、ガイドローラ６を取り付けたローラ台７を支持枠２ｂ内に所定間隔で配置しておいて、最終的にはローラ台７を撤去することも考えられる。
【００１９】
上記実施形態はガラス板の揚重をクレーンにより行う場合の例であるが、揚重手段はクレーンに限るものではなく、たとえばホイストやゴンドラ、仮設エレベータ等を使用することでも良く、そのような場合は揚重位置を変更せずに定位置で揚重を行うことにより盛り替え作業が不要であるので効率的である。
【００２０】
あるいは、揚重手段として、ガラス板をガイドしつつ垂直搬送するための専用の搬送機構を外壁部に設置することも考えられ、その場合にはガラス板の垂直搬送作業や支持枠への装着作業、さらには設置位置まで横移動させる作業等を予め設定したプログラムにしたがって自動的に行うようなことも可能となる。
【００２１】
ガラス板を固定するための支持枠の形状やガラス板を支持枠に対して固定するための構造は特に限定されるものではなく、既に述べたように従来一般のものをそのまま採用することでも勿論良いが、支持枠をガイドとしてガラス板を横移動させることができる限りにおいて適宜の形状の支持枠や適宜の固定構造を任意に採用可能である。
【００２２】
本発明は、建物の規模を問わず、また、新築や改築の別なく広く適用可能であるが、特に大型のクレーンを必要としないことから、中小規模の既存建物の外壁をガラスカーテンウォールに改修するための改修工事に際して特に好適に採用可能である。
【図面の簡単な説明】
【００２３】
【図１】本発明の施工法の実施形態を示すもので、ガラス板を設置するための支持枠を施工した状態を示す図である。
【図２】同、最初のガラス板を揚重した状態を示す図である。
【図３】同、ガラス板を上下の支持枠の間に装着した状態を示す図である。
【図４】同、ガラス板を設置位置に向けて横移動させ、かつ次のガラス板を揚重した状態を示す図である。
【図５】同、作業が進捗した状況を示す図である。
【図６】同、下側の支持枠内に配置した台車にガラス板を載置して横移動させる場合の例を示す図である。
【図７】同、下側の支持枠内に設けたガイドローラによりガラス板を支持して横移動させる場合の例を示す図である。
【図８】同、ガイドローラの他の設置例を示す図である。
【符号の説明】
【００２４】
１  ガラス板
２ａ、２ｂ  支持枠
３  バックマリオン
４  吊具（揚重手段）
５  台車
６  ガイドローラ
７  ローラ台
【図１】
2005171529.tif 000003
【図２】
2005171529.tif 000004
【図３】
2005171529.tif 000005
【図４】
2005171529.tif 000006
【図５】
2005171529.tif 000007
【図６】
2005171529.tif 000008
【図７】
2005171529.tif 000009
【図８】
2005171529.tif 000010